(57)【要約】      （修正有）【課題】布団を支持することにより、内側の熱気流通空間をより大きくさせ、通気性を強化させ、布団の受熱面をより広くし、除湿時間を短縮させ、乾燥効果を向上させる排気口を備える新型布団乾燥機を提供する。【解決手段】新型布団乾燥機は、乾燥機本体及びホースを含み、ホースの入口端が乾燥機本体と接続する。ホースの出口端に排気部が接続され、排気部は、主管路６及び分岐管７を含む支持部材４を少なくとも二つ含み、主管路が分岐管と交差して接続し、主管路と分岐管にはそれぞれ散風口８が設置され、主管路の首尾両端は相互に嵌合可能な正多角形或は円形であり、二つの支持部材４がそれぞれの主管路の嵌合により固定される。【選択図】図２
0003207283.tif 000002
【実用新案登録請求の範囲】
【請求項１】
乾燥機本体及びホースを含み、前記ホースの入口端が前記乾燥機本体と接続される新型布団乾燥機において、前記ホースの出口端に排気部が接続され、前記排気部が、主管路及び分岐管を含む支持部材を少なくとも二つ含み、前記主管路が前記分岐管と交差して接続され、前記主管路と前記分岐管にはそれぞれ散風口が設置され、前記主管路の首尾両端が相互に嵌合可能な正多角形或は円形とし、二つの前記支持部材がそれぞれの主管路の嵌合により固定されることを特徴とする新型布団乾燥機。
【請求項２】
前記主管路と前記分岐管がそれぞれ正方形のパイプラインである、
ことを特徴とする請求項１に記載の新型布団乾燥機。
【請求項３】
二つの前記支持部材の主管路の嵌合部に分解可能な嵌合構造が設置され、前記嵌合構造が四組相互にマッチングするための係止フック及び係止溝を含み、前記係止フックが均一に何れか一方の支持部材の主管路に設置され、前記係止溝が均一に他方の支持部材の主管路に設置される、
ことを特徴とする請求項２に記載の新型布団乾燥機。
【請求項４】
前記ホースの出口端がジョイントにより前記排気部と接続され、前記ジョイントの一方側が前記ホースネジと接続され、前記ジョイントの他方側がインターフェイスにより一方の前記支持部材の主管路と接続される、
ことを特徴とする請求項２に記載の新型布団乾燥機。
【請求項５】
前記主管路と前記分岐管が垂直に接続される、
ことを特徴とする請求項１に記載の新型布団乾燥機。
【考案の詳細な説明】
【技術分野】
【０００１】
本考案は電器分野、特に布団乾燥機に関する。
【背景技術】
【０００２】
布団（綿入れの布団）が厚く重く、湿り、或は洗浄後は、大変乾燥しにくいため、常に布団乾燥機を採用して除湿乾燥する。しかし、従来の布団乾燥機は排気時に一つのホースを利用し、ホースがただ一つの排気口だけを備え、且つ自身の材質によってはホースが布団を支持できず、他のものとの協力がない場合には、ホースを布団に伸し込んた後に空間を形成しにくい、乾燥機から発された熱風が布団と大面積で接触できず、急速乾燥の目的を達成できず、また乾燥効果も良くない。
【考案の概要】
【考案が解決しようとする課題】
【０００３】
従来の技術の不足を克服するために、本考案の目的は、支持機能のある排気口を備える布団乾燥機を提供することにある。
【課題を解決するための手段】
【０００４】
前記問題を解決する為に、本考案は、乾燥機本体及びホースを含み、前記ホースの入口端が前記乾燥機本体と接続される新型布団乾燥機において、前記ホースの出口端に排気部が接続され、前記排気部が、主管路及び分岐管を含む支持部材を少なくとも二つ含み、前記主管路が前記分岐管と交差して接続され、前記主管路と前記分岐管にはそれぞれ散風口が設置され、前記主管路の首尾両端が相互に嵌合可能な正多角形或は円形とし、二つの前記支持部材がそれぞれの主管路の嵌合により固定されることを特徴とするという技術方案を採用する。
【０００５】
以上に記載された新型布団乾燥機は、前記主管路と前記分岐管がそれぞれ正方形のパイプラインである。
【０００６】
以上に記載された新型布団乾燥機は、二つの前記支持部材の主管路の嵌合部に分解可能な嵌合構造が設置され、前記嵌合構造四組相互にマッチングするための係止フック及び係止溝を含み、前記係止フックが均一に何れか一方の支持部材の主管路に設置され、前記係止溝が均一に他方の支持部材の主管路に設置される。
【０００７】
以上に記載された新型布団乾燥機は、前記ホースの出口端がジョイントにより前記排気部と接続され、前記ジョイントの一方側が前記ホースネジと接続され、前記ジョイントの他方側がインターフェイスにより一方の前記支持部材の主管路と接続される。
【０００８】
以上に記載された新型布団乾燥機は、前記主管路と前記分岐管が垂直に接続される。
【考案の効果】
【０００９】
従来の技術と比べて、本考案の有益な効果は、布団を乾燥するための熱風がホースにより排気部に輸送され、排気部の主管路及び分岐管にはそれぞれ散風口が設置されるので、熱風を複数の散風口から流出することができ、布団とより大面積の接触を実現する。排気部の両支持部材はそれぞれの主管路が首尾で接続し、接続するための首尾両端は正多角形或は円形とし、二つの支持部材の接続角度を調整でき、例えば首尾両端を相互に嵌合可能な円形とすると、接続された両支持部材が回動により違う接続角度を調整でき、首尾両端を正方形とすると、両支持部材が接続された後に、水平方向或は垂直方向になり、水平方向とした場合に、排気部の全体が扁平構造となり、布団自身のと協動により一定の支持作用を提供し、一定の空間を形成し、布団の乾燥に有利になる。二つの支持部材が垂直に交差する方向に接続される場合、排気部の全体が立体構造となり、布団内に比較的大きな安定した空間を支持し形成できる。従って、主管路に正多角形或は円形の接続ボートを採用することにより、支持部材間の接続角度を調整でき、接続された支持部材により「立体」の排気部を形成し、直立する排気部で布団を高く持ち上げることができ、その内部の熱気流通空間をより大きくさせ、通気性を強化させ、布団の受熱面をより広大させ、除湿時間を短縮させ、乾燥効果を向上させる。
【図面の簡単な説明】
【００１０】
【図１】は本考案の見取図である。
【図２】は本考案の排気部分解図である。
【図３】は本考案排気部の支持部材の垂直に接続する見取図である。
【図４】は本考案排気部の支持部材の水平に接続する見取図である。
【考案を実施するための形態】
【００１１】
以下、図面及び本考案の実施形態を合わせて本考案についてより一層詳細に説明する。
【００１２】
図１−４のように示す新型布団乾燥機は、乾燥機本体１及びホース２を含み、ホース２の入口端が乾燥機本体１と接続され、ホース２の出口端に排気部３が接続され、排気部３が少なくとも二つの支持部材４を含み、支持部材４が主管路６及び分岐管７を含み、主管路６と分岐管７とが交差に接続し、主管路６及び分岐管７に散風口８がそれぞれ設置され、主管路６の首尾両端が相互に嵌合する正多角形或は円形とし、二つの支持部材４がそれぞれの主管路６により嵌合して固定される。一般的に主管路６の全体形状が正多角形或は円形に合致し、主管路６の中間部分及び首尾両端の部分がそれぞれ違う形状とし、例えば、中間が円形のパイプラインとし、両端が方形としても良いが、製造工程上のコストを増加する。
【００１３】
図２から明らかなように、支持部材４は正方形の主管路６及び分岐管７を採用して、主管路６の首尾両端が相互嵌合可能な正方形とし、首端のサイズが尾端のサイズよりも大きく、二つの支持部材４が相互に嵌合され、一方の支持部材４の尾端が他方の支持部材４の首端に嵌入される。ホース２の出口端がジョイント５により排気部３と接続され、ジョイント５の一方側がホース２とネジにより接続され、ジョイント５の他方側がインターフェイスにより一方の支持部材４の主管路６と接続する。
【００１４】
図３−４に二つの支持部材４の異なる接続方向を示す。図３は垂直な交差方向の接続を示し、排気部３の全体が立体構造とし布団内で比較的大きな安定した空間を支持し形成させる。図４は水平方向の接続を示し、排気部３の全体を扁平構造とし、布団そのものとの協動により一定の支持作用を提供し、一定の空間を形成する。
【００１５】
二つの支持部材４が主管路６で嵌合固定されるため、操作が非常に簡単で、分解も容易になる。支持部材４の接続する固定力の強さを補強するために、二つの支持部材４の主管路６の接続部に嵌合構造が設置され、開口構造として係止フック９及び係止溝１０を含み、その中で係止フック９が支持部材４の主管路６に設置され、係止溝１０が他方の支持部材４の主管路６に設置され、係止フック９が係止溝１０内に嵌入でき、係止フック９が押え付けされると、係止溝１０内から退出される。円形の主管路６の場合には、一組或は多組の係止フック９及び係止溝１０を設置でき、一組の場合には、二つの支持部材４の接続角度が固定されて調整ができない。多組の場合には、係止フック９及び係止溝１０を均一に分布させる必要がある。例えば、三つの係止フック９が均一に支持部材４の主管路６（配置間隔６０度）に設置され、三つの係止溝１０が他方の支持部材４の主管路６（配置間隔６０度）に均一に設置され、このことにより主管路６により嵌合する場合には、支持部材４の接続角度を調節できる。
【００１６】
円形の主管路６が嵌合固定される場合には、外力を作用させることで回動させることができ、正方形の主管路６を採用すれば、回動が発生しない。正方形の主管路６に嵌合構造が四組設置され、その中で係止フック９がそれぞれ一つの支持部材４の主管路６の四側面に設置され、係止溝１０が他方の支持部材４の主管路６の四側面に設置されることにより、二つの支持部材４が嵌合された後、図３或は図４のように示す接続方向を表示できる。
【００１７】
前記実施形態は、本考案の好ましい実施の形態だけであり、本考案保護の範囲を限定しないものであり、当業者により本考案に基づいて提出される如何なる非実質性の変化及び取替は、それぞれ本考案保護しようとする範囲に属する。
【符号の説明】
【００１８】
１  乾燥機本体
２  ホース
３  排気部
４  支持部材
５  ジョイント
６  主管路
７  分岐管
８  散風口
９  係止フック
１０  係止溝。
【図１】
0003207283.tif 000003
【図２】
0003207283.tif 000004
【図３】
0003207283.tif 000005
【図４】
0003207283.tif 000006